(57)【要約】【課題】  様々な先端形状の接続管に接続することが可能であると共に、容易に接続することができる吸引清掃用具用接続具を提供する。【解決手段】  清掃用具用接続具１０は、電気掃除機等の吸引清掃用具の吸込口側と、吸引清掃用具本体側の接続管との間に介在するものであり、吸込口側と接続する基部１と、基部１から延出し、接続管側と接続する接続部２とを有するものであって、接続部２は、可撓性を備えると共に、接続管側に向って拡径している。【選択図】図２
0003210865.tif 000002
【実用新案登録請求の範囲】
【請求項１】
電気掃除機等の吸引清掃用具の吸込口側と、吸引清掃用具本体側の接続管との間に介在する接続具であって、
前記接続具は、前記吸込口側と接続する基部と、
前記基部から延出し、前記接続管側と接続する接続部と、を有し、
前記接続部は、可撓性を備えると共に、前記接続管側に向って拡径していることを特徴とする吸引清掃用具用接続具。
【請求項２】
接続部は、接続管側から基部側に向ってスリットが形成されていることを特徴とする請求項１に記載の吸引清掃用具用接続具。
【請求項３】
接続部は、スリットによって分割された可動片を有し、該可動片を少なくとも２個以上備えていることを特徴とする請求項２に記載の吸引清掃用具用接続具。
【請求項４】
可動片の外周先端に接続管の内壁に当接しない導入部が形成されていることを特徴とする請求項３に記載の吸引清掃用具用接続具。
【請求項５】
基部の外周は、吸込口側に向って拡径していることを特徴とする請求項１〜４のいずれか１項に記載の吸引清掃用具用接続具。
【考案の詳細な説明】
【技術分野】
【０００１】
本考案は、電気掃除機等の吸引清掃用具の吸込口側と吸引清掃用具本体側との間に介在する吸引清掃具用接続具に関するものである。
【背景技術】
【０００２】
従来から、吸引清掃用具用接続具として、吸引ホース或いは吸引管の先端に挿入して取付けるためのメガホン状の円筒な接続部と、ホースの径に応じて先端を切断し、その切口に前記ホースが差込まれるための円錐筒状の差込部と、該差込部の基部側と前記接続部の大口側を連結する円筒状の把持部とが、弾性を有した合成樹脂或いはゴムで一体成形されたものが知られている（特許文献１）。
【先行技術文献】
【特許文献】
【０００３】
【特許文献１】特開２００９−１２５３３６号公報
【考案の概要】
【考案が解決しようとする課題】
【０００４】
しかしながら、上記特許文献１に記載された接続具は、吸引ホース或いは吸引管側に挿入される接続具の先端は縮径していることから、吸引ホース或いは吸引管の先端が、先端に近づくにつれて口径が小となる場合には安定して接続することができないという課題を有していた。
【０００５】
本考案は、前記従来の課題を解決するものであり、様々な先端形状の接続管に接続することが可能であると共に、容易に接続することができる吸引清掃用具用接続具を提供することを目的とする。
【課題を解決するための手段】
【０００６】
前記従来の課題を解決するために、請求項１の吸引清掃用具用接続具の考案は、電気掃除機等の吸引清掃用具の吸込口側と、吸引清掃用具本体側の接続管との間に介在する接続具であって、前記接続具は、前記吸込口側と接続する基部と、前記基部から延出し、前記接続管側と接続する接続部と、を有し、前記接続部は、可撓性を備えると共に、前記接続管側に向って拡径していることを特徴としている。
【０００７】
請求項１の考案は、接続部が可撓性を備えているので、接続管との接続を容易に行うことができる。また、接続管側と接続する接続部を接続管側に向って拡径させたことによって、先端に近づくにつれて口径が小となる接続管にも接続させることができる。
【０００８】
請求項２の考案は、請求項１の考案において、接続部は、接続管側から基部側に向ってスリットが形成されていることを特徴としている。したがって、スリットにより可撓性を持たせることで変形が可能となり、一層容易に接続管との接続を行うことができる。
【０００９】
請求項３の考案は、請求項２の考案において、接続部は、スリットによって分割された可動片を有し、該可動片を少なくとも２個以上備えていることを特徴としている。したがって、可動片を可動させて変形させることが可能となり、一層容易に接続管との接続を行うことができる。
【００１０】
請求項４の考案は、請求項３の考案において、可動片の外周先端に接続管の内壁に当接しない導入部が形成されていることを特徴としている。したがって、各可動片の外周先端を結ぶ外径が小さくなるので、一層容易に接続管との接続を行うことができる。
【００１１】
請求項５の考案は、請求項１〜４のいずれかの考案において、基部の外周は、吸込口側に向って拡径していることを特徴としている。したがって、接続管の口径が接続部より大きく、かつ、接続管が先端に近づくにつれて口径が大となる場合でも接続することができる。
【考案の効果】
【００１２】
請求項１の考案は、接続管との接続を容易に行うことができると共に、先端に近づくにつれて口径が小となる接続管にも接続させることができる。また、請求項２〜４の考案は、一層容易に接続管との接続を行うことができる。また、請求項５の考案は、接続管の口径が接続部より大きく、かつ、接続管が先端に近づくにつれて口径が大となる場合でも接続することができる。
【図面の簡単な説明】
【００１３】
【図１】本考案の吸引清掃用具用接続具を使用した吸引清掃用具を示す側面図
【図２】第１実施形態の吸引清掃用具用接続具を示す斜視図
【図３】第１実施形態の吸引清掃用具用接続具を示す側面図
【図４】図３のＡ−Ａ断面図
【図５】接続管との嵌合状態を示す断面図
【図６】第２実施形態の吸引清掃用具用接続具の接続管との嵌合状態を示す拡大断面図
【図７】第３実施形態の吸引清掃用具用接続具の接続管との嵌合状態を示す断面図
【図８】第４実施形態の吸引清掃用具用接続具を示す斜視図及び断面図
【図９】第５実施形態の吸引清掃用具用接続具を示す斜視図及び断面図
【考案を実施するための形態】
【００１４】
以下、本考案の実施形態について、図面を参照しながら説明する。なお、この実施の形態によって本考案が限定されるものではない。
【００１５】
図１は、本考案の吸引清掃用具用接続具を使用した吸引清掃用具を示す側面図であり、図２は、第１実施形態の吸引清掃用具用接続具を示す斜視図、図３は、同側面図である。また、図４は、図３のＡ−Ａ断面図であり、図５は、第１実施形態の吸引清掃用具用接続具と接続管との嵌合状態を示す断面図である。これらの図を用いて第１実施形態の吸引清掃用具用接続具について説明する。
【００１６】
図１に示すように、本考案に係る吸引清掃用具用接続具１０は、電気掃除機等の吸引清掃用具の吸込口１１ａ側と、吸引清掃用具本体１２側の接続管１３との間に介在するものである。そして、吸引清掃用具用接続具１０は、吸込口１１ａ側と接続する基部１と、基部１から延出し、接続管１３側と接続する接続部２とを有している。また、接続部２は、可撓性を備えると共に、接続管１３側に向って拡径している。
【００１７】
基部１の端部１ａは、端部１ａを覆うようにパイプ接続部材３が基部１の周方向に回動可能な状態で嵌合している。パイプ接続部材３は、パイプ接続部３ａでパイプ１１の吸込口１１ａとは反対側の端部１１ｂと連結している。また、基部１の端部１ａとパイプ接続部材３の各々の対応する位置にリーク孔１ｂ、３ｂが形成されており、パイプ接続部材３を回動することによって、リーク孔３ｂとリーク孔１ｂが重なる面積を調節することができ、これによって吸引力を調整できる構成としている。また、リーク孔３ｂとリーク孔１ｂが重なる面積を調節することによって、吸引音を低減させることもできる構成としている。
【００１８】
接続部２は、接続管１３側から基部１側に向ってスリット４ａ、４ｂ、４ｃ、４ｄが形成され、スリット４ａ、４ｂ、４ｃ、４ｄによって分割された可動片５ａ、５ｂ、５ｃ、５ｄを有している。尚、図２においては可動片を４個として描いているが、これに限定するものではなく、少なくとも２個以上の可動片を有していれば本考案に含まれる。
【００１９】
また、可動片を有さないスリット、即ち、接続部に１箇所のみ形成されるスリットであってもよく、更にはゴム管のようにスリットを有していない可撓性を備えた円筒状の接続部であって、接続管１３側に向って拡径しているものであってもよいものであり、これらも本考案に含まれる。
【００２０】
そして、吸引清掃用具用接続具１０の接続部２を接続管１３に接続するには、接続部２を指で内側に押圧することにより変形して接続管１３の口径よりも小さくなり、接続管１３に挿入するともとの状態に戻って図５に示すように接続部２が接続管１３に嵌合した状態となる。
【００２１】
ここで、接続部２は、図４に示す状態では、基部側の直径Ａよりも接続管側の直径Ｂの方が大きくなっている。即ち、接続管１３側に向って拡径している。これは図５に示す通り、接続管１３が、その先端に近づくにつれて口径が小となっており、この先端の内周面の形状に沿うように接続部２を形成しているためである。そのため、接続の際は、接続部２のスリット４ａ、４ｂ、４ｃ、４ｄを指で内側に押圧し、外径Ｂの大きさを外径Ａより小さくして接続管１３内に挿入する。挿入後は、スリット４ａ、４ｂ、４ｃ、４ｄがもとの形状に戻り、接続部２の外周面は、接続管１３の内周面と面接触している状態となっている。なお、本実施形態では、先端に近づくにつれて口径が小となる接続管と接続させているが、先端に近づいても口径が変化しない形状や、先端に近づくにつれて口径が大となる形状の接続管との接続も可能である。
【００２２】
図６は、第２実施形態の吸引清掃用具用接続具の接続管との嵌合状態を示す拡大断面図である。第２実施形態の吸引清掃用具用接続具２０は、可動片１５ａ、１５ｂ、１５ｃ、１５ｄの外周先端に、嵌合状態において接続管１３の内壁に当接しない導入部６が形成されている。これにより、可動片１５ａ、１５ｂ、１５ｃ、１５ｄを指で内側に押圧しながら接続管１３内に挿入する際に、接続管１３の先端内径よりも少し外側に可動片がある場合でも、導入部６の傾斜によって内径側に可動片を導いて挿入することができる。そのため、一層容易に接続管１３との接続を行うことができる。
【００２３】
図７は、第３実施形態の吸引清掃用具用接続具の接続管との嵌合状態を示す断面図である。第３実施形態の吸引清掃用具用接続具３０は、基部１４の端部１４ａに開口１４ｂが形成されて、円筒状となっている。そして、開口１４ｂに吸込口側の接続管１６が嵌合している。また、吸引清掃用具本体１２側の接続管１７が基部１４の外周１４ｃに嵌合している。ここで、基部１４の外周１４ｃは、吸引清掃用具本体側の直径Ｄよりも吸込口側の直径Ｅの方が大きくなっている。即ち、基部１４の外周１４ｃは、吸込口側に向って拡径している。これにより、吸引清掃用具用接続具３０は、接続管１７の口径が接続部２より大きく、かつ、先端に近づくにつれて大となる場合でも接続することができる。
【００２４】
図８（ａ）は、第４実施形態の吸引清掃用具用接続具を示す斜視図であり、図８（ｂ）は、同断面図である。また、図８（ｃ）は、図８（ａ）のＢ−Ｂ断面図である。第４実施形態の吸引清掃用具用接続具４０は、可動片２５ａ、２５ｂ、２５ｃ、２５ｄの根元部近傍に穴部１８ａ、１８ｂ、１８ｃ、１８ｄが形成されている。これにより、可動片２５ａ、２５ｂ、２５ｃ、２５ｄの根元部が柔らかく撓みやすくなるため、接続管への挿入作業が一層容易となる。
【００２５】
図９（ａ）は、第５実施形態の吸引清掃用具用接続具を示す斜視図であり、図９（ｂ）は、同断面図である。また、図９（ｃ）は、図９（ａ）のＣ−Ｃ断面図である。第５実施形態の吸引清掃用具用接続具５０は、可動片３５ａ、３５ｂ、３５ｃ、３５ｄの根元部近傍に凹部１９ａ、１９ｂ、１９ｃ、１９ｄが形成されている。これにより、可動片３５ａ、３５ｂ、３５ｃ、３５ｄの根元部が柔らかく撓みやすくなるため、接続管への挿入作業が一層容易となる。
【産業上の利用可能性】
【００２６】
本考案に係る吸引清掃用具用接続具は、電気掃除機等の吸引清掃用具の吸込口側と吸引清掃用具本体側との間に介在して利用される。
【符号の説明】
【００２７】
１、１４  基部
１ａ  端部
１ｂ、３ｂ  リーク孔
２  接続部
３  パイプ接続部材
４ａ、４ｂ、４ｃ、４ｄ  スリット
５ａ、５ｂ、５ｃ、５ｄ、１５ａ、１５ｂ、１５ｃ、１５ｄ、２５ａ、２５ｂ、２５ｃ、２５ｄ、３５ａ、３５ｂ、３５ｃ、３５ｄ  可動片
６  導入部
１０、２０、３０、４０、５０  吸引清掃用具用接続具
１１  パイプ
１１ａ  吸込口
１１ｂ  端部
１２  吸引清掃用具本体
１３、１６、１７  接続管
１８ａ、１８ｂ、１８ｃ、１８ｄ  穴部
１９ａ、１９ｂ、１９ｃ、１９ｄ  凹部
【図１】
0003210865.tif 000003
【図２】
0003210865.tif 000004
【図３】
0003210865.tif 000005
【図４】
0003210865.tif 000006
【図５】
0003210865.tif 000007
【図６】
0003210865.tif 000008
【図７】
0003210865.tif 000009
【図８】
0003210865.tif 000010
【図９】
0003210865.tif 000011